(57)【要約】      （修正有）【課題】葬儀、法事等の仏事の際に弔問者が使用する香典袋に関し、香典袋を祭壇に供えた場合でも弔問者の整理を速やかに、かつ間違いなく行うことができる香典袋を提供する。【解決手段】中袋７と外袋とを備えている。中袋の表面又は裏面に故人との続柄その他の関係を複数種表示した故人関係選択欄１４が印刷されている。故人関係選択欄には、弔問者が表示した複数種の関係以外の関係であるときにそれがどのような関係であるかを記入する故人関係記入欄１３を設けておく。金額記入欄１２及び氏名記入欄１５は、故人関係選択欄の上又は下に印刷して設ける。【選択図】図２
0003168982.tif 000002
【実用新案登録請求の範囲】
【請求項１】
外袋と中袋とを備えた香典袋において、前記中袋に、故人との続柄その他の関係を複数種表示した故人関係選択欄が印刷されていることを特徴とする、香典袋。
【請求項２】
前記関係選択欄がその他の関係の選択欄を含み、当該その他の関係がどのような関係であるかを記入する故人関係記入欄が設けられていることを特徴とする、請求項１記載の香典袋。
【請求項３】
前記中袋の前記故人関係選択欄の上又は下に、金額記入欄及び氏名記入欄が印刷されていることを特徴とする、請求項１記載の香典袋。
【請求項４】
前記外袋に、故人又は遺族との大まかな関係を示す受付区分欄が設けられている、請求項１、２又は３記載の香典袋。
【考案の詳細な説明】
【技術分野】
【０００１】
この考案は、葬儀、法事等の仏事の際に弔問者が使用する香典袋に関する。
【背景技術】
【０００２】
葬祭用の香典袋は、「香典」、「御仏前」などの表書きのある外袋と金銭を入れる中袋とを備え、外袋の表書きの下に自分の名前を記入し、外袋の裏面又は中袋に自分の住所と金額を記入し、中袋を外袋に包んで用いるのが一般的である。
【０００３】
そして、上記事項を記入した香典袋は、葬儀や法事の際に受付や主催者に渡されることとなるが、葬儀のように多数の弔問者がある場合には、受付の窓口を、例えば、遺族側との関係を区別するための親戚とか一般とかのいくつかのグループに分類して、弔問者の受付を行っているのが普通である。しかし、多数の弔問者が一度に来訪すると、受付が混雑し、誤って区分の異なる窓口で受け付けると、その弔問者と故人との関係が遺族に誤って認識され、将来の人間関係に悪影響を与える問題が発生する。
【０００４】
一方、従来の香典袋によると、弔問者の氏名、住所、香典額等は遺族側に明らかになり、グループ分けした受付場所により、弔問者の大まかな分類はできるが、故人との詳しい関係が遺族の誰にも分からない弔問者が出てくることが多く、香典返しの時等に取り扱いが困難になる問題が少なからず生じる。
【０００５】
前者の問題を解決するため、特許文献１には、弔問の受付を容易にすると共に香典袋の区分けを間違いなく行うことができるように、香典袋の裏面に遺族の誰との関係者であるかを選択する選択欄を設けた香典袋が提案されている。
【０００６】
上記選択欄は、弔問者が遺族側の誰との関係者であるかを選択させる「故人」、「喪主」、「施主」、「親族名」、「その他」等の欄を選択して当該選択した者との関係を空欄に記入させるようにしている。
【０００７】
また、後者の問題を解決することを課題として、特許文献２には、香典袋の裏面に設けた金額欄、住所欄の下部に、弔問者と故人との関係を記入する故人関係欄を設けた香典袋が提案されている。故人関係欄には、弔問者がそれぞれ自分で金額や住所と共に故人との関係を記入する。
【先行技術文献】
【特許文献】
【０００８】
【特許文献１】登録実用新案第３０１５６９１号公報
【特許文献２】特開２００２−６８２０６号公報
【考案の開示】
【考案が解決しようとする課題】
【０００９】
葬儀で受け取った香典袋は、重ねて祭壇に供えられることも多い。この場合、通夜で受け取った香典袋をそのまま祭壇に置いておくことは無用心であるので、中袋を抜き取った外袋だけを供えるようにしていることも多い。
【００１０】
葬儀に集まった遺族の中でも多忙な者は、通夜と葬儀が終るとすぐに帰ってしまうこともあるので、香典や弔問者の整理は、できるだけ速やかに行うのが望ましい。香典袋に故人関係欄が設けてあっても、それが外袋に記載されていると、袋を祭壇に供えている間、すなわち葬儀が終るまで弔問者の整理ができない。
【００１１】
また、故人との関係を弔問者に自由に記入させる従来手段では、弔問者が記入した関係を遺族が理解できず、それが重要な弔問者であると、後に遺族と弔問者との人間関係に悪影響を及ぼす虞が残る。
【００１２】
この考案は、上記の問題点を解決するためになされたもので、香典袋を祭壇に供えた場合でも弔問者の整理を速やかに、かつ間違いなく行うことができるようにすることを課題としている。
【課題を解決するための手段】
【００１３】
この考案の香典袋は、金銭を入れる中袋７とこの中袋を包む外袋１とを備えている。外袋１は、通常、表書きを記した短冊２と水引４とを備えている。この考案の香典袋は、中袋７の表面又は裏面に故人との続柄その他の関係を複数種表示した故人関係選択欄１４が印刷されている。この故人関係選択欄１４には、弔問者が前記表示した複数種の関係以外の関係であるときにそれがどのような関係であるかを記入する故人関係記入欄１３を設けておくのが良い。
【００１４】
中袋７には、通常、中に入れた金銭の額や住所氏名を記載する。中袋７にこの金額や住所氏名を記載する欄を印刷するときは、故人関係選択欄１４の上又は下に、金額記入欄１２及び氏名記入欄１５を印刷して設ける。
【００１５】
この考案の更に好ましい香典袋は、前記欄を印刷した中袋７を包む外袋１に、故人又は遺族との大まかな関係を示す受付区分の選択欄５が設けられているものである。
【考案の効果】
【００１６】
この考案の香典袋によれば、多くの弔問者は、自分と故人との関係を予め記載されている事項から選択することによって表示できるので、故人との関係の記入作業が容易になるばかりでなく、選択事項を遺族側が誤解することもないので、弔問者と故人との関係を遺族側に正確に伝えることができる。
【００１７】
また、この故人との関係を示す故人関係選択欄１４及び記入欄１３と氏名記入欄１５とが中袋７に設けられているので、香典袋を祭壇に供えた場合であっても、供える前に中袋を取り出しておくことにより、通夜と葬儀の間の遺族が一番多く集まっている間に多くの弔問者の整理を行うことができるという効果がある。
【００１８】
更に請求項４の考案によれば、外袋１に表記された大まかな区分によって多数の弔問者が来た場合にも香典の受付を速やかに行うことができるという効果がある。
【図面の簡単な説明】
【００１９】
【図１】好ましい実施例の外袋を示す図
【図２】同中袋を示す図
【図３】図１の外袋の要部の拡大図
【図４】図２の中袋の記載事項の例を示す拡大図
【考案を実施するための形態】
【００２０】
以下、図面を参照してこの考案の好ましい実施例について説明する。図１は、外袋を表側から見た外観を示す図で、外袋１の前面中央に添設した短冊２に表書き３が記載され、水引４が設けられている。通常、短冊２の水引４より下の部分に弔問者の名前が記入される。
【００２１】
外袋１の表面左下には、図３に示すように、故人や遺族との大まかな関係を予め印刷した受付区分欄５が設けられている。この受付区分欄は、受付における弔問者の区分を容易にするために設けられたもので、一般的な受付の区分、例えば「親戚」、「会社関係」、「一般」、「町会」などの選択事項が記載され、弔問者は自分の受付区分をレ印や○印で選択するようにしたものである。
【００２２】
このような受付区分欄５を設けて来訪者に選択記入してもらうことにより、受付をこれらの区分ごとに設けなくても受け取った香典を直ちに区分ごとに分けることができる。
【００２３】
なお、図示実施例の外袋１には、左上隅に綴じ紐を通すための貫通孔６が設けられており、この貫通孔に綴じ紐を通して束ねることにより、区分した香典袋が散逸するのを防止することができる。
【００２４】
中袋７の表面には、図４に詳細を示すように、メッセージ記載欄１１、金額記入欄１２、故人関係記入欄１３を含む故人関係選択欄１４、及び住所氏名記入欄１５が設けられている。メッセージ欄１１には、「ご冥福をお祈り申し上げます」のようなメッセージが記載され、金額記入欄１２には、中袋に入れた金銭の額が記入される。住所氏名記入欄１５には、住所と名前を記入する。これらの記載事項は従来と同様である。
【００２５】
故人関係選択欄１４には、予め区分された故人との関係が記載されており、そのいずれかをレ印や○印で選択することにより、来訪者と故人との関係を明示できるようにしてある。図の例では、故人が来訪者の何に当るかを示すものであることを明示するために、「故人は私の○印にあたります」という注意書き１６が記載され、選択事項として「祖父母」、「叔父母」、「伯父母」、「義兄弟」、「義姉妹」、「甥姪」、「従兄弟」、「従姉妹」、「遠戚」、「上司」、「同僚」、「部下」、「友人」という選択事項が記載され、これらの関係に当らない人のために、上記以外として来訪者に故人との関係を記入してもらう故人関係記入欄１３が設けられている。
【００２６】
来訪者は、故人関係選択欄に該当するものがあれば該当欄にレ印や○印を付けて選択し、該当するものがなければ故人関係記入欄に上記以外の関係を記入する。
【００２７】
中袋７にこのような記入欄を設けて来訪者に記入ないし選択してもらうことにより、中袋７だけで香典や弔問者の整理を間違いなく、かつ速やかに行うことができる。
【００２８】
なお、上記した故人との関係を示す事項や記入欄の配置などは一例であって、少なくとも名前を記入する欄と故人との関係を予め印刷により記載された複数の事項から選択できるようにした欄が中袋７に設けられていればよい。すなわち、金額や住所を外袋の裏面に記入するようにした香典袋であれば、中袋に記入された名前と外袋に記入された名前とを後で照合することにより、後で弔問者名簿を作成するときに、住所等の確認を行うことができるからである。
【００２９】
以上のように、中袋７に故人との関係を予め印刷された複数の事項から選択できるようにした故人関係選択欄１４を設けておけば、遺族の誰もが知らない来訪者であっても、故人との関係を間違いなく知ることができ、かつこのような故人関係選択欄１４と住所氏名記入欄１５を中袋に設けておくことにより、中袋７のみで来訪者の整理を行うことができ、香典の多くが通夜で受け付けられることから、通夜と葬儀の間の最も多数の遺族が集まっているときに、来訪者の確認や整理を行うことができるという効果がある。
【符号の説明】
【００３０】
１  外袋
２  短冊
４  水引
５  受付区分欄
７  中袋
12  金額記入欄
13  故人関係記入欄
14  故人関係選択欄
15  住所氏名記入欄
【図１】
0003168982.tif 000003
【図２】
0003168982.tif 000004
【図３】
0003168982.tif 000005
【図４】
0003168982.tif 000006